(57)【要約】【課題】着信時に着信側で伝言を録音し再生して発信者に送信することにより、着信時の状況に応じた伝言を送信する。【解決手段】着信時（１０１）に、着信側からの伝言（応答メッセージ）の録音を可能とし（１０３、１０４）、録音が終了すると（１０６〜１０８）、回線を接続して（１０９）、録音した音声を再生し（１１０）、発信側に送信する（１１１）。録音がされない場合は（１１２〜１１４）、回線を接続して（１１５）、予め録音しておいた既成の伝言を再生し（１１６）、発信側に送信する（１１７）。その後、発信側からの伝言を録音する構成とすることができる。【選択図】        図２
2004364015.tif 000002
【特許請求の範囲】
【請求項１】
着信時に発信側に対して録音した音声を送信可能な伝言再生機能付き携帯通信端末において、
着信時、応答する前に着信側から発信側への伝言の音声を録音し、当該着信に応答した後に録音した音声を再生して発信側に送信することにより伝言を伝えることを可能としたことを特徴とする伝言再生機能付き携帯通信端末。
【請求項２】
着信から一定時間後に伝言の音声の録音を開始することを特徴とする請求項１記載の伝言再生機能付き携帯通信端末。
【請求項３】
伝言の音声を検出する音声認識部を備え、音声の録音時に音声認識部が音声を検出しない場合には予め録音された伝言の音声を再生して発信側に送信することを特徴とする請求項１又は２記載の伝言再生機能付き携帯通信端末。
【請求項４】
音声の録音の開始及び停止の制御は、着信後の機能キーの操作により手動で行うことを特徴とする請求項１又は２記載の伝言再生機能付き携帯通信端末。
【請求項５】
前記機能キーの操作が行わない場合に、予め録音された伝言の音声を再生して発信側に送信することを特徴とする請求項４記載の伝言再生機能付き携帯通信端末。
【請求項６】
伝言の音声の送信後に、発信側からの伝言の音声を録音する機能を有することを特徴とする請求項１ないし５の何れかの請求項記載の伝言再生機能付き携帯通信端末。
【請求項７】
着信時に発信側に対して録音した音声を送信可能な携帯通信端末の伝言再生送信方法において、
着信時、応答する前に着信側から発信側への伝言の音声を録音し、当該着信に応答した後に録音した音声を再生して発信側に送信することにより伝言を伝えることを特徴とする伝言再生送信方法。
【請求項８】
着信時、応答する前に音声の録音を行わない場合は、予め録音された伝言の音声を発信側に送信することを特徴とする請求項７記載の伝言再生送信方法。
【請求項９】
着信側から音声を送信した後に発信側から送信された伝言の音声を録音することを特徴とする請求項７又は８記載の伝言再生送信方法。
【発明の詳細な説明】
【０００１】
【発明が属する技術分野】
本発明は、携帯電話機等の携帯通信端末に関し、特に、着信時に着信者自身による簡潔なメッセージ応答を可能とした伝言再生機能付き携帯通信端末及び伝言再生伝送方法に関する。
【０００２】
【従来の技術】
複数の異なる応答メッセージを記憶しておくと共に、各応答メッセージを入力部のキーに割り当て、着信から所定期間内に前記割り当てられたキーが押されたとき、割り当てられた応答メッセージを再生して送信し、その後は相手から入力された音声信号を録音するように構成することにより、使用者が電話にでられない状態での着信に対し、適した応答メッセージを選択的に相手に通知することを可能とした留守番電話機能付きの携帯電話機が知られている（特許文献１、段落００１０、００１１、００３８参照）。また、このような応答メッセージの選択を発番通知による相手の電話番号、携帯電話機の使用場所、環境等に応じて行えるように構成したものも知られている（特許文献１、２、３参照）。
【０００３】
【特許文献１】
特開２００２−９４６５２号公報
【特許文献２】
特開２００２−１５２３６６号公報
【特許文献３】
特開２０００−２０９１４３号公報
【０００４】
【発明が解決しようとする課題】
携帯通信端末は常時携帯されるものであり、電車の中、会議中、車の運転中等、所持していると着信が入ることが分かっていても着信可能な状態で所持することが多く、通常の通話ができない状況で着信があるということが多々あるものである。このような状況では留守番電話機能が利用できるものの、通常の留守番電話機能では再生されるアナウンスは既成又は再生用に事前に録音しておいた音声等の予め録音しておいた音声であり、結局、発信者には「電話に出られない」ということしか伝わらないのが現状であった。また、発信者からみると、既成のアナウンス等は形式的、事務的でありその後に留守番電話に伝言を録音しても、それを着信者が所望のタイミングで聴取するかどうかが分からないままである等の点でも問題があった。
【０００５】
この点、留守ではないが電話にでられない状況を前提とした前述の異なる応答メッセージの割り付けキーを有する携帯電話機によれば、あらかじめ複数の応答メッセージを用意することができ、使用者は電話にでられない状態に応じた応答メッセージを選択して応答することができることから、より適した応答を行うことが可能であるように思われる。
【０００６】
しかしながら、前述の携帯電話機により多様な応答を可能とするには、携帯電話機を所持している環境、状況等に応じた、極めて多数の応答メッセージを記憶装置に記憶しておくことが必要であるとともに、着信時には、その中から最適な応答メッセージをキー操作により選択することが必要であり、あらゆる環境及び場面等に応じた応答メッセージを用意することは、その状況を想定すること自体からして困難であるのみならず、記憶装置の容量にも制限があることから現実的でなく、また、着信時にその環境及び場面等に応じて即座に最適な応答メッセージをキー操作により選択することは事実上不可能といえる。また、応答メッセージの選択を発信者番号等、携帯電話機の使用場所、環境等に応じて行えるように構成したものは、応答メッセージの選択のキー操作が不要となるものの、やはり多様な応答を可能とすることができないのであり、多数の応答メッセージの記憶上の問題も解決しない。
【０００７】
また、携帯電話機の所持環境に応じた応答メッセージを送信するという観点からは、着信に対して携帯電話機をオフフックして一旦応答し、その後に先方のメッセージを録音する方法も考えられるが、それでは通常の通話ができない状況での高い利用メリットがある留守番電話の伝言録音再生機能が利用できないことになる。つまり、あまり長い時間話すことができないような状況（場所、場面等）において、発信者に対し短時間の応答により所望のメッセージを通知したり、相手からの伝言の録音を促すという伝言録音再生機能が利用できない。
【０００８】
（目的）
本発明の目的は、着信に対して多様な伝言（応答メッセージ）を送信することを可能とする伝言再生機能付き携帯通信端末及び伝言再生送信方法を提供することにある。
本発明の目的は、着信時の状況に応じた伝言を送信することが可能な伝言再生機能付き携帯通信端末及び伝言再生送信方法を提供することにある。
本発明の目的は、着信に対して多様な伝言の送信と留守番機能を備えた利便性の高い伝言再生機能付き携帯通信端末及び伝言再生送信方法を提供することにある。
【０００９】
【課題を解決するための手段】
本発明の伝言再生機能付き携帯通信端末は、着信時に発信側に対して録音した音声を送信可能な伝言再生機能付き携帯通信端末において、着信時、応答する前に着信側から発信側への伝言の音声を録音し、当該着信に応答した後に録音した音声を再生して発信側に送信することにより伝言を伝えることを可能としたことを特徴とし、伝言の音声の録音を開始は、着信から一定時間後に行うことを特徴とする。
また、伝言の音声を検出する音声認識部を備え、音声の録音時に音声認識部が音声を検出しない場合には予め録音された伝言の音声（既成の音声、事前に録音された音声等）を再生して発信側に送信することを特徴とし、又は、音声の録音の開始及び停止の制御は、着信後の機能キーの操作により手動で行うことを特徴とする。更に、前記機能キーの操作が行わない場合に、予め録音された伝言の音声を再生して発信側に送信することを特徴とし、伝言の音声の送信後に、発信側からの伝言の音声を録音する機能を有することを特徴とする。
本発明の伝言再生送信方法は、着信時に発信側に対して録音した音声を送信可能な携帯通信端末の伝言再生送信方法において、着信時、応答する前に着信側から発信側への伝言の音声を録音し、当該着信に応答した後に録音した音声を再生して発信側に送信することにより伝言を伝えることを特徴とし、着信時、応答する前に音声の録音を行わない場合は、予め録音された伝言の音声を発信側に送信することを特徴とし、着信側から音声を送信した後に発信側から送信された伝言の音声を録音することを特徴とする。
【００１０】
具体的には、音声入力部と、音声録音再生部と、音声認識部と、着信時に音声録音部に音声入力部からの音声の録音を可能とし、前記音声認識機能が音声入力を検出した場合に、音声の録音の終了後、録音した伝言を自動的に再生して発信側に送信する制御を行う制御部とを有することを特徴とし、又は、音声認識部に代えて機能キーを有し、着信時、機能キーの押下を検出し、音声録音の開始／停止を行い、音声の録音の終了後、録音した伝言を自動的に再生して発信側に送信する制御を行う制御部とを有することを特徴とする。より具体的には、マイク６、音声録音再生部（ＲＡＭ８、ＲＯＭ９）、タイマー部７、音声認識部５を有し、着信時、タイマー部の計測により一定時間の経過後に、自動的に音声録音再生部への音声録音が開始され、音声認識部により音声の有無を検出し、音声入力がある場合、伝言を録音し、録音された伝言を再生して発信側に送信する。音声がない場合は、既成の伝言を発信側に再生して送信することを特徴とする（図１、２）。また、音声認識部に代えて機能キー１０を有しており、着信時、機能キーを押下することにより、音声録音の開始／停止を行い、その後発信側に録音された伝言を再生して送信する。機能キーが押下されない場合は、既成の伝言を再生して発信側に送信することを特徴とする（図３、４）。
【００１３】
【発明の実施の形態】
（構成の説明）
図１は、本発明の伝言再生機能付き携帯通信端末及び伝言再生送信方法の第１の実施の形態を示す図である。
【００１４】
本実施の形態の携帯通信端末は、携帯通信端末の種々の機能／設定を表示するための表示部１、ダイヤル操作、機能設定を行うための表示操作部４、通話時、音声の入出力を行うレシーバー２、マイク６を有している。
さらに、音声録音時、音声の入力の有無を認識する音声認識部５、時間経過を計測するタイマー部７、伝言の音声（伝言）を保存するためのＲＡＭ８、既成の伝言を予め保存しておくＲＯＭ９を有し、これらすべてのブロックを制御する制御部３で構成されている。主要なブロックのより詳細な構成及び機能は以下のとおりである。
【００１５】
ＲＯＭ９には、予め携帯通信端末の通常の通信機能に関する各種プログラムに加えて、本発明の伝言録音再生の専用プログラム及び所定の条件で発信側に対し再生される既成の応答メッセージ（伝言）等が記憶されている。ＲＡＭ８は制御部３の動作における各種データの書き込み及び読み出しを可能とする記憶部であり、着信側及び発信側からの音声の録音及び再生時の音声データ（予め録音された伝言の音声を含む）の保存機能を有し、ＲＡＭ８及びＲＯＭ９は伝言の音声の音声録音再生部としての機能を有する。
【００１６】
音声認識部５は、音声入力部としてのマイク６から音声信号を入力し、音声入力を認識し、その有無を判別し、検出信号を制御部３に出力する。タイマー部７は携帯通信端末の着信状態及び音声入力の無音期間を計測し、それぞれ継続時間が一定時間に達したか否か等、動作時間を計測する機能を有する。
【００１７】
制御部３は、携帯通信端末の選択された機能に関しＲＯＭ９に記憶された該当するプログラムを読み出し、当該プログラムに基づいて携帯通信端末の各部を制御し、各種の機能を実現する。例えば通常の各種設定、機能選択、通信制御に加え、伝言の録音再生に関し、マイク６及び図示しない無線部等から入力した音声入力を録音／再生する動作を行いＲＡＭ８に音声データを記録し、再生するための各種の制御を実行する。
【００１８】
特に、制御部３は、着信に対しタイマー部７により着信の継続時間を検出し、着信状態が着信者の通常の応答に必要な時間を考慮したある一定時間（ｔ１）を経過すると、マイク６からの音声入力をＲＡＭ８に記録することにより録音する音声入力モードに切り替える。次に、マイク６からの音声入力の有無を音声認識部５により判別し、音声入力がある間は当該音声入力の録音を継続し、音声入力が終了して音声認識部５が音声入力の終了を判別すると音声入力モードを終了する。音声入力が録音されると、携帯通信端末のフックスイッチ機能をオフフックして回線を接続し、ＲＡＭ８に直前に録音した音声入力を再生し、伝言（応答メッセージ）として回線に送出する等の制御を実行する。また、音声認識部５により音声入力が最初から認識されない状態が一定時間経過した場合には、前述と同様に回線を接続してＲＯＭ９により保存されている既成の伝言を再生し、回線に送出する等の制御を実行する。
【００１９】
（動作の説明）
図２は、本発明の第１の実施の形態の動作フローを示す図である。以下第１の実施の形態の動作について説明する。
携帯通信端末に着信が入ると（ステップ１０１）、制御部３はタイマー部７により呼び出し状態の時間の計測を開始し、ある一定時間（ｔ１）が経過すると（ステップ１０２）、音声入力モードに切り替える。音声入力モードでは、マイク６からの音声入力の録音を開始し、着信側から発信側へ応答する伝言（例えば「ただいま会議中です。４０分後には会議を終了していますのでその頃に再度電話して下さい。」等の応答メッセージ）の音声入力が可能となる（ステップ１０３）。また、同時に、音声認識部５による音声認識機能の動作が開始し、着信側の音声入力の有無を監視する（ステップ１０４）。制御部３は音声認識部５の出力により音声が入力されているか否かを検出し（ステップ１０５）、着信側の伝言の音声入力を検出すると音声録音再生部への音声録音を継続し、その後、音声入力が認識されなくなる（音声入力が無くなる）と、音声入力の終了を検出し（ステップ１０６）、音声認識機能を停止する（ステップ１０７）とともに、音声入力モードを終了し、音声録音を終了する（ステップ１０８）。次に、携帯通信端末のフックスイッチ機能をオフフック動作させて回線を接続し（ステップ１０９）、録音した伝言を再生して回線に出力する（ステップ１１０）。発信側では呼び出し音が停止し、着信側で直前に録音された伝言が聞こえてくる（ステップ１１１）。
【００２０】
ステップ１０５において、音声入力が無い場合、制御部３はある一定時間（ｔ２）が経過したか否かを判別し（ステップ１１３）、一定時間（ｔ２）が経過するまで音声入力の待ち状態となる（ステップ１０５、１１３）。また、一定時間（ｔ２）が経過すると（ステップ１１３）、音声入力が無いと見なし、音声認識部５の音声認識機能を停止する（ステップ１１４）とともに、音声入力モードを終了し、音声録音を終了する（ステップ１１５）。音声録音の終了後、携帯通信端末のフックスイッチ機能をオフフック動作させて回線の接続を行う（ステップ１１６）。この場合、音声認識部５により着信側の伝言は録音されていないことを判断し、携帯通信端末に保存されている既成の伝言（応答メッセージ）を再生して回線に送出する（ステップ１１７）。発信側では呼び出し音が停止し、着信側からの既成の伝言が聞こえてくる（ステップ１１９）。
【００２１】
以上により、発信側が発信操作を行うと着信側の呼び出し音が聞こえている状態で、着信側では、一定時間（ｔ１）後に着信側で録音状態となり、着信時の状況や発信者等に応じた多様な伝言（応答メッセージ）の録音が可能であり、録音が終了すると回線を接続して発信側に当該伝言が送信され、発信側では初めて呼び出し音が消えてメッセージが聞こえてくるという動作が行われる。
（他の実施の形態）
第１の実施の形態では、着信時にタイマー機能を利用して、一定時間の経過後、録音を開始するとともに音声認識により音声入力を監視し、自動的に着信側の伝言を録音することを可能に構成したが、第２の実施の形態としてこのようなタイマー機能及び音声認識機能を利用する代わりに、着信者が操作する機能キーにより、伝言の録音動作の開始／停止（終了）を制御することにより音声入力モードの切り替えを可能に構成することができる。
【００２２】
図３は、本発明の伝言再生機能付き携帯通信端末及び伝言再生送信方法の第２の実施の形態を示す図である。音声入力モードへの切り替えを制御するために、録音の開始／停止を制御する機能キー１０を設ける。制御部３は、当該機能キー１０が押下されたか否かを判別し、着信後の最初の押下では録音状態とし、２度目の押圧では録音の停止状態とする音声入力モードへの切り替え制御を行うことにより、手動により着信側の音声入力の録音／再生の選択を可能とする。
【００２３】
つまり、着信に対し制御部３は、機能キー１０が押下されたか否かを判別し、機能キー１０の押下を検出すると、マイク６からの音声入力をＲＡＭ８に記録し録音する動作を開始する音声入力モードに切り替え、更に機能キー１０が押下されたか否かを判別し、機能キー１０が押下を検出すると、音声入力モードを終了し、続いて携帯通信端末のフックスイッチ機能をオフフックして回線を接続し、ＲＡＭ８から直前に録音した音声を再生し、伝言（応答メッセージ）として回線に送出する制御を行う。また、着信後、例えば一定時間以内に機能キー１０が押下されない場合には、回線を接続してＲＯＭ９に保存されている既成の伝言を再生し、回線に送出する制御を行う。
【００２４】
図４は、第２の実施の形態の動作フローを示す図である。以下、第２の実施の形態の動作を説明する。
着信が入った場合（ステップ２０１）。回線を接続して応答することができない場合、着信者が機能キー１０を押下すると、制御部３は機能キー１０が押下されたことを検出し（ステップ２０２）、音声入力モードに切り替える（ステップ２０３）。ここで、音声録音が開始され、着信側からの音声入力が可能となる。着信者は音声を入力し（ステップ２０４）、再度、機能キー１０を押下すると（ステップ２０５）、音声入力モードを終了し、音声録音を終了する（ステップ２０６）。制御部３は、携帯通信端末のフックスイッチ機能をオフフック動作させて回線を接続し（ステップ２０７）、録音した伝言を再生して回線に出力する（ステップ２０８）。発信側では呼び出し音が停止し、着信側で直前に録音された伝言が聞こえてくる（ステップ２０９）。
【００２５】
着信状態のステップ２０２において、一定期間以内に機能キー１０が押下されない場合は、制御部３はフックスイッチ機能をオフフック動作させて回線を接続し（ステップ２１１）、ＲＯＭ９に保存されている既成の伝言（応答メッセージ）を再生して回線に送出する（ステップ２１２）。発信側では呼び出し音が停止し、着信側からの既成の伝言が聞こえてくる（ステップ２１３）。
【００２６】
以上の実施の形態では、着信側から発信側への伝言再生までの動作フローを示したが、着信側の伝言再生の後、通常の留守番電話機能のように、発信側のメッセージを録音・保存するように構成することができる。つまり、図２に示すステップ１１１、１１７（図４に示す２０８、２１２）で再生する伝言中に発信側からの伝言録音を行うよう促す内容を含め、図２に示すステップ１１１及び１１９（図４に示すステップ２０９及び２１３）の後続の処理として、発信側から着信側へのメッセージの録音動作を行うように構成する。
【００２７】
また、以上の実施の形態において、音声入力モードへの切り替え後又は伝言を録音中に、着信側で発信者に応じて表示操作部の特定のキーを操作する等により、通常の通話に移行できるように構成することも可能である。例えば、録音状態において着信者がオフフック動作を行うと電話回線の接続動作が優先し、図２、４に示す動作フローの処理が強制終了し、伝言録音及び伝言再生機能は動作しないように構成することにより容易に実施可能である。
【００２８】
更に、着信側での録音期間を携帯通信端末の設定により所定の一定時間のみ可能になるように構成することができる。第１の実施の形態では、音声認識部による音声入力の最初の部分を検出した時点から、また、第２の実施の形態では最初の機能キーの押下時点からタイマー部を動作させて前記所定時間を計測し、当該時間の経過後に回線を接続して録音した音声を再生し回線に送信するように構成することで実現可能である。
【００２９】
【発明の効果】
本発明によれば、着信時、オフフック（回線接続）して直ちに応答することなく、録音再生機能により簡単な応答メッセージを伝えることができるので、今、自分が何をしていて、どのような状態にあるか等、伝言を相手に通知することができ、発信者に対する意思の疎通も改善され、また、相手と直接話すと往々にして長くなるものであるが、あまり長い時間は通話できないような場所にいるとき等においても極めて有効であり、利便性の高い伝言再生機能付き携帯通信端末及び伝言再生送信方法が実現される。
【００３０】
また、着信に対し着信者自らその都度、短いメッセージを録音するものであるから、録音した伝言の送信後、録音済みの音声入力を必ずしも保存する必要がなく、再生後に消去してもよく、保存する場合にも必要最小限の保存でよいことから、伝言用に多くの記録領域を用意する必要はない。また、音声入力の録音に関して最小限の記憶領域を用意し記憶容量が不足する状況では古い音声を順次消去して新たな録音に利用することも可能である。
【図面の簡単な説明】
【図１】本発明の伝言再生機能付き携帯通信端末及び伝言再生送信方法の第１の実施の形態を示す図である。
【図２】第１の実施の形態の動作フローを示す図である
【図３】本発明の伝言再生機能付き携帯通信端末及び伝言再生送信方法の第２の実施の形態を示す図である。
【図４】第２の実施の形態の動作フローを示す図である。
【符号の説明】
１  表示部
２  レシーバー
３  制御部
４  表示操作部
５  音声認識部
６  マイク
７  タイマー部
８  ＲＡＭ
９  ＲＯＭ
１０  機能キー
【図１】
2004364015.tif 000003
【図２】
2004364015.tif 000004
【図３】
2004364015.tif 000005
【図４】
2004364015.tif 000006